(57)【要約】【課題】負荷名称と分岐開閉器との対応関係を間違うことなく、分岐開閉器の配線作業を確実に行うことができる分電盤を提供する。【解決手段】分電盤Ａは、縦長の箱体１と、箱体１の内部に収納される主幹開閉器３及び複数の分岐開閉器４と、主幹開閉器３及び分岐開閉器４の前面側を覆うように箱体１に取着される中蓋２と、箱体１の一端側において開閉自在に枢支され、中蓋２の前面側を覆う外蓋とを備えている。分岐開閉器４の前面側には、プレート保持部５が設けられており、中蓋２において分岐開閉器４と対向する部位には、分岐開閉器４の操作摘み４ａ及びプレート保持部５を前面側に露出させるための表示窓２ｂが設けられている。このプレート保持部５は、分岐開閉器４に回動自在に取付けられており、表示窓２ｂを通して前面側に開くことで中蓋２を取り外すことなく、プレートを入れ替えることができる。【選択図】図１
2008160999.tif 000002
【特許請求の範囲】
【請求項１】
前面側に複数の分岐開閉器が配設される背面板及び背面板の外縁に沿って背面板に取着される枠体で形成された箱体を備え、負荷名称を記載したプレートを保持し前面側から当該プレートを視認可能とするプレート保持部を前記分岐開閉器の前面側に設けたことを特徴とする分電盤。
【請求項２】
前記分岐開閉器の操作部を露出させる操作孔を有し前記枠体に取着されて前記背面板の前面側を覆う中蓋を備え、当該中蓋において前記プレート保持部と対向する部位に前面側から前記プレートを視認可能とする表示窓を設けたことを特徴とする請求項１記載の分電盤。
【請求項３】
前記プレート及び前記プレート保持部は、並設した複数の前記分岐開閉器に跨って取付けられる形状に形成されており、並設した複数の前記分岐開閉器に跨って取付けるための取付手段を前記プレート保持部に設けたことを特徴とする請求項１又は２の何れか１項に記載の分電盤。
【請求項４】
前面側から前記分岐開閉器に着脱自在に取付ける取付手段を前記プレート保持部に設けたことを特徴とする請求項１又は２の何れか１項に記載の分電盤。
【請求項５】
前記プレート保持部は、前記分岐開閉器の一端側において前記プレートを入れ替える開位置と前記プレートを保持する閉位置との間で回動自在に軸支されており、前記プレート保持部の回動を規制し前記閉位置で保持するための回動規制手段を前記分岐開閉器及び前記プレート保持部にそれぞれ設けたことを特徴とする請求項１又は２の何れか１項に記載の分電盤。
【発明の詳細な説明】
【技術分野】
【０００１】
本発明は、分電盤に関するものである。
【背景技術】
【０００２】
従来より、図１４に示すように中蓋２６に表示窓２６ｃを設けた分電盤Ｂがあった（例えば特許文献１参照）。この分電盤Ｂは、縦長の箱体２５を備えており、この箱体２５の内部には主幹ブレーカ２７及び複数（図１４では１６個）の分岐ブレーカ２８が収納されている。この分岐ブレーカ２８は、箱体２５の幅方向に沿って２列に配列されており、さらに箱体２５の長手方向に沿って複数（図１４では８個）並設されている。また、分岐ブレーカ２８の列間には、対応する分岐ブレーカ２８の負荷名称を表示する負荷名称表示部２９が設けられている。これらの主幹ブレーカ２７及び分岐ブレーカ２８の前面側には、中蓋２６が箱体２５の幅方向一端側において回動自在に枢支されており、この中蓋２６において主幹ブレーカ２７及び分岐ブレーカ２８と対向する部位には、各ブレーカの操作ハンドル２７ａ、２８ａを前面側に露出させるための操作孔２６ａ、２６ｂがそれぞれ設けられている。また、中蓋２６において負荷名称表示部２９と対向する部位には、中蓋２６を閉じた状態で前面側から負荷名称が視認できるように表示窓２６ｃが設けられている。
【特許文献１】特開２００１−２６８７２８号公報（第２頁−第３頁、及び、第１図−第６図）
【発明の開示】
【発明が解決しようとする課題】
【０００３】
上述の特許文献１に示した分電盤Ｂでは、負荷名称表示部２９と分岐ブレーカ２８の接続端子部（図示せず）とが若干離れた位置にあるため、施工業者が配線作業に集中している場合には、負荷名称と分岐ブレーカ２８との対応関係を間違う虞れがあった。
【０００４】
本発明は上記問題点に鑑みて為されたものであり、その目的とするところは、負荷名称と分岐開閉器との対応関係を間違うことなく、分岐開閉器の配線作業を確実に行うことができる分電盤を提供することにある。
【課題を解決するための手段】
【０００５】
請求項１の発明は、前面側に複数の分岐開閉器が配設される背面板及び背面板の外縁に沿って背面板に取着される枠体で形成された箱体を備え、負荷名称を記載したプレートを保持し前面側から当該プレートを視認可能とするプレート保持部を分岐開閉器の前面側に設けたことを特徴とする。
【０００６】
請求項２の発明は、分岐開閉器の操作部を露出させる操作孔を有し枠体に取着されて背面板の前面側を覆う中蓋を備え、当該中蓋においてプレート保持部と対向する部位に前面側からプレートを視認可能とする表示窓を設けたことを特徴とする。
【０００７】
請求項３の発明は、プレート及びプレート保持部は、並設した複数の分岐開閉器に跨って取付けられる形状に形成されており、並設した複数の分岐開閉器に跨って取付けるための取付手段をプレート保持部に設けたことを特徴とする。
【０００８】
請求項４の発明は、前面側から分岐開閉器に着脱自在に取付ける取付手段をプレート保持部に設けたことを特徴とする。
【０００９】
請求項５の発明は、プレート保持部は、分岐開閉器の一端側においてプレートを入れ替える開位置とプレートを保持する閉位置との間で回動自在に軸支されており、プレート保持部の回動を規制し閉位置で保持するための回動規制手段を分岐開閉器及びプレート保持部にそれぞれ設けたことを特徴とする。
【発明の効果】
【００１０】
請求項１の発明によれば、プレートを保持するプレート保持部を分岐開閉器の前面側に直接設けており、配線工事の準備段階でプレート保持部に負荷名称を記載したプレートを取付けることができるので、配線工事を行う際に負荷名称と分岐開閉器の対応関係を間違うことがなく、配線工事を確実に行うことができるという効果がある。
【００１１】
請求項２の発明によれば、中蓋においてプレート保持部と対向する部位に、前面側からプレートを視認可能とする表示窓を設けているので、中蓋を取り外すことなくプレートに記載された負荷名称を確認することができるという効果がある。
【００１２】
請求項３の発明によれば、プレート及びプレート保持部は並設した複数の分岐開閉器に跨って取付けられる形状に形成されており、並設した複数の分岐開閉器に跨って取付けるための取付手段をプレート保持部に設けているので、一枚のプレートで複数の分岐開閉器の負荷名称を表示することができる。従って、配線工事の準備段階でプレート保持部にプレートを取付けて分岐開閉器の並びを確認することができるので、分岐開閉器の並びを間違うことがなく、配線工事を確実に行うことができるという効果がある。
【００１３】
請求項４の発明によれば、前面側から分岐開閉器に着脱自在に取付ける取付手段をプレート保持部に設けており、中蓋に設けた表示窓を通してプレート保持部を取り外すことができるので、中蓋を取り外す必要がなく簡単にプレートを入れ替えることができるという効果がある。
【００１４】
請求項５の発明によれば、プレート保持部が分岐開閉器の一端側において回動自在に軸支されており、中蓋に設けた表示窓を通してプレート保持部を開位置まで回転させることでプレートを入れ替えることができるので、中蓋を取り外す必要がなく簡単にプレートを入れ替えることができるという効果がある。また、分岐開閉器及びプレート保持部にそれぞれ設けた回動規制手段により、プレート保持部の回動を規制しプレート保持部を閉位置で保持することができるので、分電盤を施工した後に振動等によってプレート保持部がばたつくことがなく、プレート保持部からプレートが外れて紛失するのを防止することができるという効果がある。特に、軸支した側の近傍に回動規制手段を設けた場合には、軸支した部位と対向する側においてプレート保持部及び分岐開閉器に回動規制手段を設ける必要がないという効果がある。
【発明を実施するための最良の形態】
【００１５】
（第１の実施形態）
第１の実施形態を図１〜図４に基づいて説明する。本実施形態に係る分電盤Ａは、造営材（例えば、壁面等）に取付けられ、内部に収納した主幹開閉器３又は複数（図１では１６個）の分岐開閉器４が必要に応じてそれぞれオン／オフされる。
【００１６】
本実施形態に係る分電盤Ａは、図１及び図２に示すように縦長の略矩形板状の背面板１ａ及び縦長であって背面板１ａの外縁に沿って背面板１ａに取着される枠体１ｂで一体に形成された箱体１と、箱体１の内部に収納される主幹開閉器３及び複数の分岐開閉器４と、主幹開閉器３及び分岐開閉器４の前面側を覆うように箱体１に取着される中蓋２と、箱体１の一端側において開閉自在に枢支され、中蓋２の前面側を覆う外蓋（図示せず）とを備えている。尚、外蓋は中蓋２に取付けてもよい。
【００１７】
まず、枠体１ｂについて図１及び図２に基づいて説明する。枠体１ｂは、縦長の略角筒状であって、内側面には内側に向かって突出する内鍔１ｃが全周に渡って設けられている。枠体１ｂにおいて幅方向一端側の内鍔１ｃには、縦長の略矩形板状の中蓋２が取着されており、この中蓋２は幅方向他端側でねじ２３を用いて固定されている。
【００１８】
次に、背面板１ａについて図２に基づいて説明する。背面板１ａは、縦長の略矩形板状であって、幅方向両端側には縦長板状の取付部材８、８がねじ１０を用いてそれぞれ取付けられている。各取付部材８には、長手方向に沿って複数の取付孔８ａが一定の間隔で設けられており、両取付部材８、８の上方位置には主幹開閉器３を取付けるための略矩形板状の取付ベース６がねじ１３を用いて取付けられている。また、両取付部材８、８の下方位置には、分岐開閉器４を取付けるための略矩形板状の取付ベース７がねじ１３を用いて取付けられている。
【００１９】
ここで、主幹開閉器３について図２に基づいて説明する。主幹開閉器３は、縦長の略直方体状に形成されており、前面側において長手方向両端側には複数（図２では各３個）の入力端子３ｂ及び出力端子３ｃがそれぞれ設けられている。また、主幹開閉器３の前面側略中央位置には、内部の接点（図示せず）をオン／オフして各入力端子３ｂと対応する出力端子３ｃの間を導通又は開放するための操作摘み３ａが設けられている。各入力端子３ｂには、図示しない一次電源が接続され、各出力端子３ｃには互いに異なる長さに形成された略Ｌ字状の導電部材９ａ〜９ｃの一端側がねじ１１を用いて接続されている。さらに、各導電部材９ａ〜９ｃの他端側は、箱体１の幅方向において同じ位置であって奥行方向に異なる高さに配置された３本の導電バー（図示せず）にねじ１２を用いてそれぞれ接続されている。この主幹開閉器３は、取付ベース６に例えばねじ等を用いて固定されている。
【００２０】
次に、分岐開閉器４について図２及び図３に基づいて説明する。分岐開閉器４は、略直方体状であって分電盤協約寸法の１個分に形成されており、前面側において長手方向一端側には複数（図３では２個）の出力端子４ｂが設けられている。また、分岐開閉器４の長手方向他端側において幅方向に沿う側面には、３本の導電バーに対応する高さ位置に溝４ｍが３箇所設けられており、上側の２箇所には入力部を構成する一対の刃受け４ｃ、４ｃがそれぞれ配置されている。各導電バーは、それぞれ対応する刃受け４ｃ、４ｃの間で挟持され、対応する入力部と接続される。さらに、分岐開閉器４の前面側において出力端子４ｂ側には、内部の接点（図示せず）をオン／オフして各入力部と対応する出力端子４ｂの間を導通又は開放するための操作摘み（操作部）４ａが設けられている。また、分岐開閉器４の前面側において入力部側の端縁近傍には、後述するプレート保持部５が回動自在に軸支されている。この分岐開閉器４は、図２に示すように箱体１の幅方向において導電バーの左右両側に２列に配列されており、さらに長手方向において導電バーに沿って複数（図２では８個）並設されている。尚、本実施形態では、導電バーと接続される刃受け４ｃを開閉器本体に一体に設け、分岐開閉器４を構成している。
【００２１】
ここで、プレート保持部５について図３及び図４に基づいて説明する。プレート保持部５は、透光性を有する矩形板状の主片５ａを有しており、主片５ａの外縁には主片５ａと直行する方向に延出する側片５ｆが全周に渡って形成されている。また、主片５ａの幅方向に沿う一端側の側片５ｆには、プレート保持部５を分岐開閉器４に取付けるための取付部５ｂが主片５ａの幅方向に沿って一体に設けられており、この取付部５ｂにおいて主片５ａの幅方向に沿う両端部には、外側に向かって突出する軸部５ｃ、５ｃがそれぞれ設けられている。さらに、取付部５ｂと対向する側片５ｆにおいて主片５ａの幅方向に沿う中央下端位置には、先端側に係止爪５ｅを有する弾性係止片５ｄが設けられている。ここに、取付部５ｂと両軸部５ｃ、５ｃとで取付手段が構成されている。
【００２２】
次に、プレート１４について図３に基づいて説明する。プレート１４は、略矩形板状に形成されており、プレート１４の前面側には対応する分岐開閉器４の負荷名称が記載されている。このプレート１４は、例えばプレート保持部５の対向する２つの側片５ｆ、５ｆに設けた突起（図示せず）と主片５ａとの間に差し込まれて保持される。尚、プレート１４の保持方法は本実施形態に限定されるものではなく、他の方法であってもよい。
【００２３】
一方、分岐開閉器４の前面側において入力部側の端縁近傍には、プレート保持部５の軸部５ｃ、５ｃと嵌合してプレート保持部５を軸支する一対の軸受け部４ｄ、４ｄが設けられており、プレート保持部５は図３（ｃ）に示すようにプレート１４を保持する閉位置と図３（ｄ）に示すようにプレート１４を入れ替える開位置との間で回動自在に軸支されている。また、分岐開閉器４の前面側においてプレート保持部５の弾性係止片５ｄと対向する部位には、図３（ｂ）に示すように弾性係止片５ｄを挿通させる挿通孔４ｅが設けられており、プレート保持部５が閉位置にある状態では弾性係止片５ｄが挿通孔４ｅ内に挿入され、先端の係止爪５ｅが挿通孔４ｅの端縁に係止している。従って、分電盤Ａを設置した後に振動等でプレート保持部５がばたつくことがなく、プレート保持部５からプレート１４が外れて紛失するのを防止することができる。
【００２４】
次に、中蓋２について図１に基づいて説明する。中蓋２は、略矩形板状であって、主幹開閉器３と対向する部位には、操作摘み３ａを前面側に露出させるための操作孔２ａが設けられている。また、中蓋２において分岐開閉器４と対向する部位には、箱体１の長手方向に沿って並設された複数の分岐開閉器４の操作摘み４ａ及びプレート保持部５を露出させるための表示窓２ｂが箱体１の幅方向に沿って２個設けられている。
【００２５】
本実施形態の分電盤Ａでは、プレート１４を保持するプレート保持部５を各分岐開閉器４の前面側に直接設けているので、配線工事の準備段階でプレート保持部５に負荷名称を記載したプレート１４を取付けることができる。従って、配線工事を行う際に負荷名称と分岐開閉器４の対応関係を間違うことがなく、配線工事を確実に行うことができる。また、プレート保持部５が分岐開閉器４の前面一端側（入力部側）において回動自在に軸支されており、中蓋２に設けた表示窓２ｂを通してプレート保持部５を開位置まで回転させることでプレート１４を入れ替えることができるので、中蓋２を取り外す必要がなく簡単にプレート１４を入れ替えることができる。さらに、中蓋２においてプレート保持部５と対向する部位に、前面側からプレート１４を視認可能とする表示窓２ｂを設けているので、中蓋２を取り外すことなくプレート１４に記載された負荷名称を確認することができる。
【００２６】
尚、本実施形態では、プレート保持部５を入力部側で軸支しているが、反対側（出力端子４ｂ側）で軸支してもよく、同様の効果が得られる。
【００２７】
また、本実施形態では、導電バーと接続される刃受け４ｃを開閉器本体に一体に設けて分岐開閉器４を構成しているが、開閉器本体と別体に設けた端子カバーに刃受け４ｃ及び開閉器本体の接続端子と接続される接続端子を設け、開閉器本体に着脱自在とし、この端子カバーにプレート保持部５を設けてもよい。この場合、端子カバーと開閉器本体とで分岐開閉器４が構成される。さらに、開閉器本体に取着されるものであって、施工時において一体として取扱われる部品にプレート保持部５を設けてもよい。この場合、開閉器本体と開閉器本体に取着される部品とで分岐開閉器４が構成される。
【００２８】
（第２の実施形態）
第２の実施形態を図５〜図８に基づいて説明する。本実施形態に係る分電盤Ａは、箱体１と、主幹開閉器３及び複数の分岐開閉器４と、中蓋２と、外蓋とを備えており、プレート保持部５の替わりに並設された複数の分岐開閉器４に跨って取着されるプレート保持部１５又はプレート保持部１７を用いた以外の構成は第１の実施形態と同様であるので、同一の構成要素には同一の符号を付して説明は省略する。
【００２９】
まず、プレート保持部１５について図５及び図６に基づいて説明する。プレート保持部１５は、透光性を有し、並設された５つの分岐開閉器４に跨って取付けられる大きさに形成された略矩形板状の主片１５ａを有しており、主片１５ａの外縁には主片１５ａと直行する方向に延出する側片１５ｆが全周に渡って形成されている。また、主片１５ａの長手方向に沿う一端側の側片１５ｆには、プレート保持部１５を両端に位置する分岐開閉器４、４に取付けるための一対の取付片１５ｂ、１５ｂが両端寄りに設けられており、各取付片１５ｂには外側に向かって突出する軸部１５ｃがそれぞれ設けられている。ここに、取付片１５ｂと軸部１５ｃとで取付手段が構成されている。
【００３０】
一方、分岐開閉器４の前面側において入力部側の端縁近傍には、プレート保持部１５の軸部１５ｃ、１５ｃと嵌合してプレート保持部１５を軸支する一対の軸受け部４ｄ、４ｄが設けられており、並設された５つの分岐開閉器４のうち、両端に位置する分岐開閉器４、４の軸受け部４ｄ、４ｄに軸部１５ｃ、１５ｃをそれぞれ嵌合させると、図５に示すように分岐開閉器４にプレート保持部１５が取付けられる。
【００３１】
ここで、プレート１６について図５に基づいて説明する。プレート１６は、図５（ａ）に示すように略矩形板状であって、並設された５つの分岐開閉器４に跨って取付けられる大きさに形成されている。また、プレート１６は、５つに仕切られており、それぞれの部位には対応する負荷名称が記載されている。このプレート１６は、例えばプレート保持部１５の対向する２つの側片１５ｆ、１５ｆに設けた突起（図示せず）と主片１５ａとの間に差し込まれて保持される。
【００３２】
プレート保持部１５を用いた分電盤Ａでは、プレート１６及びプレート保持部１５がそれぞれ並設された５つの分岐開閉器４に跨って取付けられる形状に形成されており、プレート保持部１５の長手方向一端側には両端に位置する分岐開閉器４、４に取付けるための取付片１５ｂ、１５ｂを設けているので、一枚のプレート１６で５つの分岐開閉器４の負荷名称を表示することができる。従って、配線工事の準備段階でプレート保持部１５にプレート１６を取付けて分岐開閉器４の並びを確認することができるので、分岐開閉器４の並びを間違うことがなく、配線工事を確実に行うことができる。
【００３３】
次に、プレート保持部１７及びプレート１８について図７及び図８に基づいて説明する。このプレート保持部１７及びプレート１８は、並設された２つの分岐開閉器４に取付けられる大きさに形成された以外の構成はプレート保持部１５及びプレート１６と同様であるので、以下の説明は省略する。
【００３４】
プレート保持部１７を用いた分電盤Ａでは、プレート保持部１５を用いた場合と同様に、配線工事の準備段階でプレート保持部１７にプレート１８を取付けて分岐開閉器４の並びを確認することができるので、分岐開閉器４の並びを間違うことがなく、配線工事を確実に行うことができる。また、プレート保持部１７のように並設される分岐開閉器４の数が少ない場合、分岐開閉器４の刃受け４ｃ、４ｃの間に導電バーを差し込む際に小さな力を加えるだけで差し込むことができるので、プレート保持部１７を取付けた状態で２つの分岐開閉器４を一度の作業で取付けることができる。
【００３５】
尚、本実施形態では、並設される分岐開閉器４が２つ又は５つの場合について説明したが、並設される分岐開閉器４の数は本実施形態に限定されるものではない。また、プレート保持部についても、並設される分岐開閉器４の数に合わせて適宜設計すればよい。
【００３６】
（第３の実施形態）
第３の実施形態を図９に基づいて説明する。本実施形態に係る分電盤Ａは、箱体１と、主幹開閉器３及び複数の分岐開閉器４と、中蓋２と、外蓋とを備えており、プレート保持部５の替わりにスライドさせて着脱されるプレート保持部１９を用いた以外の構成は第１の実施形態と同様であるので、同一の構成要素には同一の符号を付して説明は省略する。
【００３７】
プレート保持部１９は、透光性を有する略矩形板状の主片１９ａを有しており、主片１９ａの幅方向両端側には図９（ｂ）に示すように主片１９ａと直交する方向に延出する側片１９ｂ、１９ｂがそれぞれ設けられている。また、各側片１９ｂの下端部には内側に向かって突出する突片１９ｃがそれぞれ設けられており、側片１９ｂにおいて突片１９ｃと主片１９ａの間には、突片１９ｃと同方向に突出する突片１９ｄがそれぞれ設けられている。この突片１９ｄは、突片１９ｃとの間に後述する挿入片４ｇの厚みと略同じ間隔を空けて形成されており、挿入片４ｇを突片１９ｃと突片１９ｄの間に挿入することでプレート保持部１９が分岐開閉器４に取付けられる。ここに、突片１９ｃと突片１９ｄとで取付手段が構成されている。
【００３８】
一方、分岐開閉器４の前面には、前面側に向かって突出する一対の突片４ｆ、４ｆが設けられており、各突片４ｆの先端側には互いに離れる方向であって突片４ｆと直交する方向に延出する挿通片４ｇがそれぞれ設けられている。
【００３９】
ここで、プレート１４は、第１の実施形態で説明したプレート１４を用いており、例えばプレート保持部１９の両側片１９ｂ、１９ｂに設けた突起（図示せず）と主片１９ａとの間に差し込まれて保持される。
【００４０】
このプレート保持部１９は、図９（ｄ）に示すように入力部側からプレート保持部１９をスライドさせて、突片１９ｃと突片１９ｄの間に挿入片４ｇを挿入すると、図９（ｃ）に示すようにプレート保持部１９が分岐開閉器４に取付けられる。
【００４１】
本実施形態の分電盤Ａでは、プレート保持部１９を分岐開閉器４に取付ける際に、プレート保持部１９を分岐開閉器４に対してスライドさせるだけでよく、プレート保持部１９を分岐開閉器４に容易に取付けることができる。
【００４２】
（第４の実施形態）
第４の実施形態を図１０に基づいて説明する。本実施形態に係る分電盤Ａは、箱体１と、主幹開閉器３及び複数の分岐開閉器４と、中蓋２と、外蓋とを備えており、プレート保持部５の替わりに前面側から着脱されるプレート保持部２０を用いた以外の構成は第１の実施形態と同様であるので、同一の構成要素には同一の符号を付して説明は省略する。
【００４３】
プレート保持部２０は、透光性を有する略矩形板状の主片２０ａを有しており、主片２０ａの外縁には主片２０ａと直交する方向に延出する側片２０ｃが全周に渡って設けられている。また、主片２０ａの幅方向に沿う両側片２０ｃ、２０ｃの先端側には、先端側に係止爪を有する弾性係止片（取付手段）２０ｂ、２０ｂがそれぞれ設けられている。
【００４４】
一方、分岐開閉器４の前面側においてプレート保持部２０の弾性係止片２０ｂに対応する部位には、各弾性係止片２０ｂを挿通させる挿通孔（図示せず）がそれぞれ設けられており、図１０（ｃ）に示すように前面側からプレート保持部２０を分岐開閉器４に近づけ、各弾性係止片２０ｂを対応する挿通孔内に挿入し係止爪を挿通孔の端縁に係止させると、図１０（ｂ）に示すようにプレート保持部２０が分岐開閉器４に取付けられる。また、プレート保持部２０を分岐開閉器４から取り外す場合には、前面側にプレート保持部２０を引っ張るだけでよく、簡単に取り外すことができる。
【００４５】
ここで、プレート１４は、第１の実施形態で説明したプレート１４を用いており、例えばプレート保持部２０の対向する２つの側片２０ｃ、２０ｃに設けた突起（図示せず）と主片２０ａとの間に差し込まれて保持される。
【００４６】
本実施形態の分電盤Ａでは、プレート保持部２０に前面側から分岐開閉器４に着脱自在に取付けるための弾性係止片２０ｂ、２０ｂを設けており、中蓋２に設けた表示窓２ｂを通して前面側に引っ張るだけでプレート保持部２０を取り外すことができるので、中蓋２を取り外す必要がなく簡単にプレート１４を入れ替えることができる。
【００４７】
（第５の実施形態）
第５の実施形態を図１１及び図１２に基づいて説明する。本実施形態に係る分電盤Ａは、箱体１と、主幹開閉器３及び複数の分岐開閉器４と、中蓋２と、外蓋とを備えており、プレート保持部５の替わりにプレート保持部２１を用いた以外の構成は第１の実施形態と同様であるので、同一の構成要素には同一の符号を付して説明は省略する。
【００４８】
プレート保持部２１は、透光性を有する略矩形板状の主片２１ａを有しており、主片２１ａの外縁には主片２１ａと直行する方向に延出する側片２１ｆが全周に渡って設けられている。また、主片２１ａの幅方向に沿う一端側の側片２１ｆには、先端側が直行方向に突出する側面視Ｌ字状の取付片２１ｂ、２１ｂが両端部に設けられており、各取付片２１ｂにおいて突出する先端部位には内側に向かって突出する軸部２１ｃがそれぞれ設けられている。さらに、取付片２１ｂと対向する側片２１ｆにおいて主片２１ａの幅方向に沿う中央下端位置には、先端側に係止爪２１ｅを有する弾性係止片２１ｄが設けられている。ここに、取付片２１ｂと軸部２１ｃとで取付手段が構成されている。
【００４９】
一方、分岐開閉器４の前面側において入力部側の端縁には、プレート保持部２１の軸部２１ｃ、２１ｃと嵌合してプレート保持部２１を軸支する一対の軸受け凹部４ｈ、４ｈが設けられており、プレート保持部２１は図１１（ｂ）に示すようにプレート１４を保持する閉位置と図１１（ｃ）に示すようにプレート１４を入れ替える開位置との間で回動自在に軸支されている。また、分岐開閉器４の前面側においてプレート保持部２１の弾性係止片２１ｄと対向する部位には、弾性係止片５ｄを挿通させる挿通孔（図示せず）が設けられており、プレート保持部２１が閉位置にある状態では弾性係止片２１ｄが挿通孔内に挿入され先端の係止爪２１ｅが挿通孔の端縁に係止している。
【００５０】
ここで、プレート１４は、第１の実施形態で説明したプレート１４を用いており、例えばプレート保持部２１の対向する２つの側片２１ｆ、２１ｆに設けた突起（図示せず）と主片２１ａとの間に差し込まれて保持される。
【００５１】
本実施形態の分電盤Ａでは、プレート保持部２１に設けた取付片２１ｂ、２１ｂの突出する先端部位に軸部２１ｃ、２１ｃを、分岐開閉器４側に軸受け凹部４ｈ、４ｈを設けて軸支しているので、分岐開閉器４の前面側には突出するものがなく、従来例に示すような負荷名称表示部２９に取付けられるプレートを分岐開閉器４の前面側に貼り付けて表示させることができる。
【００５２】
（第６の実施形態）
第６の実施形態を図１３に基づいて説明する。本実施形態に係る分電盤Ａは、箱体１と、主幹開閉器３及び複数の分岐開閉器４と、中蓋２と、外蓋とを備えており、プレート保持部５の替わりにプレート保持部２２を用いた以外の構成は第１の実施形態と同様であるので、同一の構成要素には同一の符号を付して説明は省略する。
【００５３】
プレート保持部２２は、透光性を有する略矩形板状の主片２２ａを有しており、主片２２ａの外縁には、主片２２ａと直行する方向に延出する側片２２ｅが全周に渡って設けられている。また、主片２２ａの幅方向に沿う一端側の側片２２ｅには、プレート保持部２２を分岐開閉器４に取付けるための取付部２２ｂが主片２２ａの幅方向に沿って一体に設けられており、取付部２２ｂにおいて主片２２ａの幅方向に沿う両端部には、外側に向かって突出する軸部２２ｃ、２２ｃがそれぞれ設けられている。さらに、取付部２２ｂを設けた側片２２ｂには、取付部２２ｂを間にして両端側に突起２２ｄがそれぞれ設けられている。ここに、取付部２２ｂと軸部２２ｃとで取付手段が構成されている。
【００５４】
一方、分岐開閉器４の前面側において入力部側の端縁近傍には、プレート保持部２２の軸部２２ｃ、２２ｃと嵌合してプレート保持部２２を軸支する一対の軸受け部４ｊ、４ｊが設けられており、プレート保持部２２は図１３（ａ）に示すようにプレート１４を保持する閉位置と図１３（ｂ）に示すようにプレート１４を入れ替える開位置との間で回動自在に軸支されている。また、図１３（ｃ）に示すようにプレート保持部２２が閉位置にある状態における各軸受け部４ｊには、突起２２ｄに対応する部位にプレート保持部２２の回動を規制し閉位置で保持するための突出部４ｋがそれぞれ設けられている。ここに、プレート保持部２２の突起２２ｄと分岐開閉器４の突出部４ｋとで回動規制手段が構成されている。
【００５５】
ここで、プレート１４は、第１の実施形態で説明したプレート１４を用いており、例えばプレート保持部２２の対向する２つの側片２２ｅ、２２ｅに設けた突起（図示せず）と主片２２ａとの間に差し込まれて保持される。
【００５６】
この分電盤Ａでは、プレート保持部２２に突起２２ｄを、分岐開閉器４に突出部４ｋを設けることによって、図３（ｃ）に示すように閉位置において突起２２ｄが突出部４ｋに係止されるので、プレート保持部２２の回動を規制しプレート保持部２２を閉位置で保持することができる。従って、分電盤Ａを施工した後に振動等によってプレート保持部２２がばたつくことがなく、プレート保持部２２からプレート１４が外れて紛失するのを防止することができる。特に、本実施形態で示したように突起２２ｄ及び突出部４ｋを取付部２２ｂ側に設けた場合には、取付部２２ｂと対向する側においてプレート保持部２２及び分岐開閉器４に第１の実施形態で説明した弾性係止片５ｄや挿通孔４ｅを設ける必要がない。また、閉位置を外れた状態においては、図１３（ｄ）に示すように突起２２ｄは突出部４ｋと係止していないので、プレート保持部２２を開位置と閉位置との間で移動自在に開閉することができる。
【図面の簡単な説明】
【００５７】
【図１】第１の実施形態の分電盤の外蓋を取り外した状態図である。
【図２】同上の中蓋を取り外した状態図である。
【図３】（ａ）は同上に用いられる分岐開閉器の正面図である。（ｂ）は同上に用いられる分岐開閉器にプレート保持部を係止させる部位の要部詳細図である。（ｃ）は同上に用いられる分岐開閉器に取着されたプレート保持部にプレートを保持させた状態図である。（ｄ）は同上に用いられる分岐開閉器に取着されたプレート保持部においてプレートを入れ替える状態を示す状態図である。
【図４】（ａ）は同上に用いられるプレート保持部の正面図である。（ｂ）は同上に用いられるプレート保持部の側面図である。（ｃ）は同上に用いられるプレート保持部の背面図である。
【図５】（ａ）は第２の実施形態の分岐開閉器の正面図である。（ｂ）は同上の分岐開閉器の側面図である。
【図６】（ａ）は同上のプレート保持部の正面図である。（ｂ）は同上のプレート保持部の側面図である。
【図７】（ａ）は同上の他の例を示す分岐開閉器の正面図である。（ｂ）は同上の他の例を示す分岐開閉器の側面図である。
【図８】（ａ）は同上の他の例を示すプレート保持部の正面図である。（ｂ）は同上の他の例を示すプレート保持部の側面図である。
【図９】（ａ）は第３の実施形態の分岐開閉器の正面図である。（ｂ）は同上のＸ−Ｘ断面図である。（ｃ）は同上にプレート保持部を取付けた状態図である。（ｄ）は同上にプレート保持部を取付ける前の状態図である。（ｅ）は同上を幅方向から見た側面図である。
【図１０】（ａ）は第４の実施形態の分岐開閉器の正面図である。（ｂ）は同上にプレート保持部を取付けた状態図である。（ｃ）は同上にプレート保持部を取付ける前の状態図である。
【図１１】（ａ）は第５の実施形態の分岐開閉器の正面図である。（ｂ）は同上の分岐開閉器に取着されたプレート保持部にプレートを保持させた状態図である。（ｃ）は同上の分岐開閉器に取着されたプレート保持部においてプレートを入れ替える状態を示す状態図である。
【図１２】（ａ）は同上のプレート保持部の正面図である。（ｂ）は同上のプレート保持部の側面図である。（ｃ）は同上のプレート保持部の背面図である。
【図１３】（ａ）は第６の実施形態の分岐開閉器に取着されたプレート保持部にプレートを保持させた状態図である。（ｂ）は同上の分岐開閉器に取着されたプレート保持部においてプレートを入れ替える状態を示す状態図である。（ｃ）は同上のプレート保持部を閉じた状態における突起と突出部との係止状態を示す要部詳細図である。（ｄ）は同上のプレート保持部を開いた状態における突起と突出部との位置関係を示す要部詳細図である。
【図１４】従来例の分電盤の正面図である。
【符号の説明】
【００５８】
１    箱体
１ａ  背面板
１ｂ  枠体
２    中蓋
２ｂ  表示窓
４    分岐開閉器
４ａ  操作摘み（操作部）
５    プレート保持部
１４  プレート
Ａ    分電盤
【図１】
2008160999.tif 000003
【図２】
2008160999.tif 000004
【図３】
2008160999.tif 000005
【図４】
2008160999.tif 000006
【図５】
2008160999.tif 000007
【図６】
2008160999.tif 000008
【図７】
2008160999.tif 000009
【図８】
2008160999.tif 000010
【図９】
2008160999.tif 000011
【図１０】
2008160999.tif 000012
【図１１】
2008160999.tif 000013
【図１２】
2008160999.tif 000014
【図１３】
2008160999.tif 000015
【図１４】
2008160999.tif 000016